(57)【要約】デイスプレイに複数のウインドウを表示する情報処理装置に関し、デイスプレイ（２）のための画面メモリ（４８）と、画面メモリの特定のウインドウの画像データを外部モニタ（３）に出力するための処理ユニット（４０）とを設ける。画面に表示されている複数のウインドウの内、指定したウインドウを、外部のモニタに表示でき、指定したウインドウの画像のみを大画面表示でき、不要なウインドウを表示しない。このため、大画面表示を充分楽しむことができるとともに、コンピュータのマルチタスクも実現できる。
2002067102.tif 000002
【特許請求の範囲】
【請求項１】
情報を処理し、デイスプレイに複数のウインドウ表示を行うための情報処理装置において、
前記デイスプレイのための画面メモリと、
前記画面メモリの特定のウインドウの画像データを外部モニタに出力するための処理ユニットとを有することを
特徴とする情報処理装置。
【請求項２】
請求の範囲１の情報処理装置において、
前記処理ユニットは、前記デイスプレイのウインドウに前記外部モニタ出力の選択メニューを表示することを
特徴とする情報処理装置。
【請求項３】
請求の範囲１の情報処理装置において、
前記処理ユニットは、前記デイスプレイの複数のウインドウの内、有効ウインドウの画像データを前記外部モニタに出力することを
特徴とする情報処理装置。
【請求項４】
請求の範囲２の情報処理装置において、
前記処理ユニットは、前記デイスプレイのウインドウに前記外部モニタ出力の複数の種類の選択メニューを表示することを
特徴とする情報処理装置。
【請求項５】
請求の範囲１の情報処理装置において、
前記処理ユニットは、オペレーテイングシステムの起動に応じて、前記外部モニタの出力のための表示アプリケーションプログラムを起動することを
特徴とする情報処理装置。
【請求項６】
請求の範囲１の情報処理装置において、
前記処理ユニットは、起動された複数のタスクに応じた個々のウインドウを前記デイスプレイに表示することを
特徴とする情報処理装置。
【請求項７】
請求の範囲１の情報処理装置において、
前記処理ユニットは、映像を再生するアプリケーションを実行することを
特徴とする情報処理装置。
【請求項８】
情報を処理し、デイスプレイに複数のウインドウ表示を行うための情報処理装置の表示制御方法において、
前記デイスプレイに複数のウインドウを表示するステップと、
前記複数のウインドウの内、特定のウインドウの画像データを外部モニタに出力するステップとを有することを
特徴とする情報処理装置の表示制御方法。
【請求項９】
請求の範囲８の情報処理装置の表示制御方法において、
前記表示ステップは、前記デイスプレイのウインドウに前記外部モニタ出力の選択メニューを表示するステップからなることを
特徴とする情報処理装置の表示制御方法。
【請求項１０】
請求の範囲８の情報処理装置の表示制御方法において、
前記出力ステップは、前記デイスプレイの複数のウインドウの内、有効ウインドウの画像データを前記外部モニタに出力するステップからなることを
特徴とする情報処理装置の表示制御方法。
【請求項１１】
請求の範囲９の情報処理装置の表示制御方法において、
前記表示ステップは、前記デイスプレイのウインドウに前記外部モニタ出力の複数の種類の選択メニューを表示するステップからなることを
特徴とする情報処理装置の表示制御方法。
【請求項１２】
請求の範囲８の情報処理装置の表示制御方法において、
前記情報処理装置のオペレーテイングシステムの起動に応じて、前記外部モニタの出力のための表示アプリケーションプログラムを起動するステップを更に有することを
特徴とする情報処理装置の表示制御方法。
【請求項１３】
請求の範囲８の情報処理装置の表示制御方法において、
前記表示ステップは、起動された複数のタスクに応じた個々のウインドウを前記デイスプレイに表示するステップからなることを
特徴とする情報処理装置の表示制御方法。
【請求項１４】
請求の範囲８の情報処理装置の表示制御方法において、
前記表示ステップは、再生映像をウインドウに表示するステップを有することを
特徴とする情報処理装置の表示制御方法。
【請求項１５】
情報を処理し、デイスプレイに複数のウインドウ表示を行うための情報処理装置のプログラムを格納した記憶媒体において、
前記デイスプレイに表示された複数のウインドウの内、出力すべきウインドウをサーチし、
前記出力すべきウインドウの画像データを外部モニタに出力するプログラムを格納したことを
特徴とする記憶媒体。
【請求項１６】
情報を処理し、デイスプレイに複数のウインドウ表示を行うための情報処理装置のプログラムにおいて、
前記デイスプレイに表示された複数のウインドウの内、出力すべきウインドウをサーチし、
前記出力すべきウインドウの画像データを外部モニタに出力することを特徴とするプログラム。
【発明の詳細な説明】
技術分野
本発明は、ウインドウ表示画面を外部に接続したデイスプレイに表示する機能を有する情報処理装置、その表示制御方法、その記憶媒体及びそのプログラムに関し、特に、特定のウインドウ内の画像を外部デイスプレイに表示する情報処理装置、その表示制御方法、記憶媒体及びそのプログラムに関する。
背景技術
コンピュータの発展に伴い、個人で使用するパーソナルコンピュータの低価格化、小型化の波は目覚ましい。このようなパーソナルコンピュータは、オフィスワークのツールとしてのみならず、家庭においても利用される。このため、パーソナルコンピュータに、ホームエレクトロニクス機器としての機能をもつことが要求されている。例えば、パーソナルコンピュータには、ＤＶＤ等の映像画像デイスクを再生する機能や、ＣＤ等のゲームを実行する機能を有する。
このような映像等の画像は、通常、パーソナルコンピュータのデイスプレイ画面に表示される。しかし、パーソナルコンピュータは、小型、低価格化を目標として、開発されており、その画面サイズは、最大１４インチから１５インチ程度である。一方、家庭やオフィスで使用されるテレビジョンやプロジェクタは、大画面化の傾向があり、４０インチ、５０インチのものも登場している。
このため、画像表示等では、パーソナルコンピュータの小さい画面で、画像を表示するだけでなく、パーソナルコンピュータの処理画像を外部の大型のデイスプレイに表示することが要求されている。これを実現するため、パーソナルコンピュータには、外部デイスプレイ接続ポートが設けられており、このポートにテレビを接続することで、大型テレビに処理画像を表示している。
この方法は、パーソナルコンピュータの表示画面全体を、外部デイスプレイに表示するものであった。一方、パーソナルコンピュータは、複数のタスクを同時処理し、表示画面に個々のタスクをウインドウの形式で、１画面に複数表示することが行われている。
このため、複数のタスクを走らせていた場合には、複数のウインドウが外部デイスプレイに表示されるため、マルチタスク実行中は、１つのウインドウのみを、大画面の外部デイスプレイに表示することができないという問題が生じる。例えば、ＤＶＤ，Ｖｉｄｅｏ−ＣＤの再生画像を大画面テレビで楽しみたいのに、マルチタスク実行中は、他の不要なタスクのウインドウ画面もテレビに表示される。
逆に、１つのウインドウのみを、大画面デイスプレイに表示するには、他のタスクの処理を起動しない又は終了することが必要となり、折角のパーソナルコンピュータのマルチタスク、マルチウインドウの機能を利用できないという問題が生じる。例えば、ＤＶＤの再生中に、Ｅ−ｍａｉｌの送受信表示やワードプロセッシング処理を実行できない。
発明の開示
従って、本発明の目的は、マルチタスクを起動中のコンピュータ画面の所望のウインドウを外部デイスプレイに表示するための情報処理装置、その表示制御方法、記憶媒体及びそのプログラムを提供するにある。
又、本発明の他の目的は、容易に外部デイスプレイに表示するウインドウを設定するための情報処理装置、その表示制御方法、記憶媒体及びプログラムを提供するにある。
更に、本発明の他の目的は、外部デイスプレイに表示するウインドウ以外のウインドウの表示を防止するための情報処理装置、その表示制御方法、記憶媒体及びプログラムを提供するにある。
この目的の達成のため、本発明の情報処理装置は、情報を処理し、デイスプレイに複数のウインドウ表示を行うため、前記デイスプレイのための画面メモリと、前記画面メモリの特定のウインドウの画像データを外部モニタに出力するための処理ユニットとを有する。
パソコン画面に表示されている複数のウインドウの内、指定したウインドウを、外部のモニタに表示するため、指定したウインドウの画像のみを大画面表示でき、不要なウインドウを表示しない。このため、大画面表示を充分楽しむことができるとともに、コンピュータのマルチタスクも実現できる。
本発明では、好ましくは、前記処理ユニットは、前記デイスプレイのウインドウに前記外部モニタ出力の選択メニューを表示することにより、容易に出力ウインドウを選択できる。
本発明では、好ましくは、前記処理ユニットは、前記デイスプレイの複数のウインドウの内、有効ウインドウの画像データを前記外部モニタに出力することにより、処理ユニットのタスク指定により、外部表示ウインドウを切り替えることができる。
本発明では、好ましくは、前記処理ユニットは、前記デイスプレイのウインドウに前記外部モニタ出力の複数の種類の選択メニューを表示することにより、タスクの切り替えに連動したり、連動しない外部モニタの出力モードを選択できる。
本発明では、好ましくは、前記処理ユニットは、オペレーテイングシステムの起動に応じて、前記外部モニタの出力のための表示アプリケーションプログラムを起動することにより、かかる機能を追加しても、操作者の手間を省くことができる。
本発明では、好ましくは、前記処理ユニットは、起動された複数のタスクに応じた個々のウインドウを前記デイスプレイに表示することにより、マルチタスク処理を実現しつつ、大画面表示を充分楽しむことができる。
本発明では、好ましくは、前記処理ユニットは、映像を再生するアプリケーションを実行することにより、映像の迫力ある大画面表示をパソコンレベルで実現できる。
発明を実施するための最良の形態
以下、本発明の実施例を図面に従い、説明する。
図１は、本発明の一実施の形態のパーソナルコンピュータのブロック図、図２は、図１のパーソナルコンピュータのソフトウェア構成図、図３は、図１のウインドウ画面図である。
図１は、本発明の情報処理装置として、デスクトップ型パーソナルコンピュータを例に示している。パーソナルコンピュータ本体１は、図４にて後述するように、情報処理ユニット，記憶ユニット、通信ユニット、表示制御ユニット等を有する。パソコンデイスプレイ２は、パーソナルコンピュータ本体１に接続され、パーソナルコンピュータ本体１のＶＧＡ信号を受け、パーソナルコンピュータの画面を表示するデイスプレイとして使用される。パソコンデイスプレイ２は、例えば、１７インチの画面を有する。
キーボード１０は、パーソナルコンピュータ本体１に、有線又は無線で接続され、キーによる指示を行うためのものである。マウス１１は、パーソナルコンピュータ本体１に、有線又は無線で接続され、ポインタの操作を行うためのものである。
テレビジョン３は、ＮＴＳＣ信号又はビデオ信号を受け、画像を表示する外部デイスプレイであり、この例では、ワイド画面を表示するワイドテレビで構成され、例えば、４０インチの画面を有する。
パーソナルコンピュータ本体１のソフトウェア（プログラム）の構成は、図２に示すように、ＯＳ（プログラムマネージャ）３０と、ＯＳ３０の管理の元に動作する複数のアプリケーションプログラム３１、３２−１〜３２−ｎとで構成される。
パーソナルコンピュータ１は、ＯＳ３０の起動後、キーボード１０、マウス１１の操作に応じて、複数のアプリケーションを選択し、起動することができ、アプリケーションの処理状況は、パソコンデイスプレイ２に表示される。パソコンデイスプレイ２の表示面積は限られているから、各アプリケーションの処理状況はデイスプレイ２にウインドウで表示される。この例では、ＤＶＤ−Ｖｉｄｅｏ／ＧＡＭＥのアプリケーション３２−ｎと、ワープロ／表計算３２−１のアプリケーションとが起動され、パソコンデイスプレイ画面に、ＤＶＤ−Ｖｉｄｅｏ／ＧＡＭＥのウインドウ２０と、ワープロ／表計算のウインドウ２１とが表示されている。
各ウインドウをパソコン画面に表示し、且つ操作したいウインドウを大きく表示するため、操作したい有効ウインドウを表に表示し、その裏に、他のウインドウの一部を露出して、表示する。図１の例では、ＤＶＤ−Ｖｉｄｅｏ／ＧＡＭＥのウインドウ２０が表に、ワープロ／表計算のウインドウ２１が裏に表示されている。このウインドウの表裏関係は、切り替えでき、パソコン画面のタスクバーで、裏のウインドウ（アプリケーション）をクリックすることにより、表裏が反転する。図１の例では、ＤＶＤ−Ｖｉｄｅｏ／ＧＡＭＥのウインドウ２０が表に、ワープロ／表計算のウインドウ２１が裏に表示されている状態で、タスクバーのワープロ／表計算のアプリケーションをクリックすると、ＤＶＤ−Ｖｉｄｅｏ／ＧＡＭＥのウインドウ２０が裏に、ワープロ／表計算のウインドウ２１が表に表示されている。
本発明の一つの特徴は、パソコン画面に表示されている複数のウインドウの内、指定したウインドウを、外部のテレビ３に大画面表示するものである。図１の例では、有効ウインドウを外部テレビ３に大画面表示する場合を示し、には、ＤＶＤ−Ｖｉｄｅｏ／ＧＡＭＥのウインドウ２０が表に、ワープロ／表計算のウインドウ２１が裏に表示されている状態では、外部テレビ３にＤＶＤ−Ｖｉｄｅｏ／ＧＡＭＥのウインドウが表示され、ＤＶＤ−Ｖｉｄｅｏ／ＧＡＭＥのウインドウ２０が裏に、ワープロ／表計算のウインドウ２１が表に表示されている状態では、外部テレビ３にワープロ／表計算のウインドウが表示される。
図２に示すように、このため、ＯＳ３０に管理されるアプリケーションとして、ＴＶ（テレビ）表示アプリケーションプログラム３１が設けられる。このＴＶ表示アプリケーション３１は、ＯＳ３０の起動後、自動起動され、図５で説明するように、ウインドウのＴＶ表示制御する。そして、図３に示すように、他のアプリケーションのウインドウ２０（２１）のメニューバー２５にＴＶ表示アプリケーションの設定メニュー「ＴＶ表示」が表示される。即ち、メニューバー２５に、「ファイル」、「編集」、「ツール」等の他に、「ＴＶ表示」メニューが追加される。
この「ＴＶ表示」をクリックすると、図３に示すように、ＴＶ表示の設定を行うプルダウンメニュー２６が表示される。このプルダウンメニュー２６は、ウインドウの有効／無効にかかわらずＴＶ表示する「常に出力」メニューと、ウインドウが有効な時にＴＶ表示する「有効の時出力」メニューと、即座にＴＶ表示を開始し、ウインドウが無効になるまでＴＶ表示する「すぐ出力」メニューと、ＴＶ表示の停止のための「停止」メニューとからなる。操作者は、プルダウンメニュー２６のいずれかをクリックし、ＴＶ表示条件を設定できる。
このようにして、ＴＶ表示アプリケーション３１は、ウインドウ毎に、ＴＶ表示条件を設定し、ウインドウ毎のＴＶ表示を制御する。
次に、図４により、パーソナルコンピュータ本体１の構成を、図５により、ＴＶ表示アプリケーション３１の処理フローを説明する。
先ず、図４に示すように、パーソナルコンピュータ本体１は、処理ユニットとして、ＣＰＵ（中央処理ユニット）４０，ＲＯＭ（リードオンリーメモリ）４１，ＲＡＭ（ランダムアクセスメモリ）４２，ＨＤＤ（ハードデイスクドライブ）４３を有する。ＣＰＵ４０は、データ処理を行うプロセッサであり、Ｉｎｔｅｌ社のＰｅｎｔｉｕｍプロセッサ、ＡＭＤ社のＫシリーズプロセッサ等を使用できる。ＲＯＭ４１は、処理に必要な固定プログラム、データ等を格納する読み取り専用メモリである。ＲＡＭ４２は、ＣＰＵ４０のデータ処理中のデータを一時記憶するものである。ＨＤＤ４３は、大容量記憶装置であり、プログラム、データを格納するものであり、本発明の場合、Ｗｉｎｄｏｗｓ等のＯＳ３０，ＴＶ表示アプリケーション３１、他のアプリケーション３２−１〜３２−ｎが、ＨＤＤ４３にインストールされている。
光デイスクドライブ（ＤＶＤ−ＤＲ）４４は、ＤＶＤの読み取りを行うデイスクドライブで構成される。このＤＶＤには、映像ソフトが記憶されている。ＦＤＤ４５は、ＦＤ（Ｆｌｏｐｐｙ  Ｄｉｓｋ）の読み取り／書き込みを行うドライブである。通信ユニット４６は、他の装置、ネットワークと通信を行うものであり、モデム、ＬＡＮカード、無線通信ボード等で構成される。
ＶＧＡ（Ｖｉｄｅｏ  Ｇｒａｐｈｉｃ  Ａｒｒａｙ）４７は、画像専用のプロセッサで構成され、描画処理等を行う。Ｖ−ＲＡＭ（Ｖｉｄｅｏ  Ｒａｎｄｏｍ  Ａｃｃｅｓｓ  Ｍｅｍｏｒｙ）４８は、パソコン画面メモリ用のＲＡＭであり、ＶＧＡ４７により、画面の映像が書き込まれる。ＸＧＡドライバ４９は、Ｖ−ＲＡＭ４８の画面メモリを読み出し、ＸＧＡ信号をパソコンデイスプレイ２に出力する。
ＮＴＳＣ／Ｖｉｄｅｏ変換器５０は、画面メモリの映像データをＮＴＳＣ信号に変換し、外部テレビ３に出力する。バス５１は、これらのユニットを接続し、コマンド、データ等のやり取りを行う。
次に、図５により、図２のＴＶ表示アプリケーションプログラムを説明する。（Ｓ１０）ＯＳ３０を起動し、ＴＶ表示アプリケーション３１を起動する。
（Ｓ１１）操作者は、必要なアプリケーションをキーボード、マウスで選択し、アプリケーションを立ち上げる。例えば、ＤＶＤ再生アプリケーション３２−ｎを立ち上げると、ＤＶＤ−ＤＲ４４でＤＶＤを読み出し、ＸＧＡ４７で映像データをＶ−ＲＡＭ４８に書き込み、ＸＧＡドライバ４９が映像データをＸＧＡ信号に変換して、パソコンデイスプレイ２に出力する。この時、ＤＶＤの映像は、パソコン画面の設定されたウインドウ内に表示される。このウインドウには、図３で示したように、ＴＶ表示メニューが表示されている。操作者は、必要に応じて、ＴＶ表示メニューをクリックし、プルダウンメニュー２６を開き、そして、「常に出力」メニュー、「有効の時出力」、「すぐ出力」メニュー、「停止」メニューのいずれかを選択できる。
ＣＰＵ４０は、ウインドウのＴＶ表示条件を調べる。「常に出力」が指定されている場合には、他のウインドウで「常に出力」が指定されていないかを調べ、他のウインドウで「常に出力」が指定されていない場合は、ステップＳ１２に進む。逆に、他のウインドウで「常に出力」が指定されている場合には、表示条件をＴＶ出力停止に置き換え、ＴＶ出力を行わない。
同様に、「有効の時出力」又は「すぐ出力」が指定されている場合には、そのウインドウは有効かを調べる。有効ウインドウとは、アクテイブなウインドウであり、パソコン画面の一番上に表示されるウインドウである。有効ウインドウであれば、他のウインドウで「常に出力」が指定されていないかを調べ、他のウインドウで「常に出力」が指定されていない場合は、ステップＳ１２に進む。逆に、有効ウインドウでない場合又は他のウインドウで「常に出力」が指定されている場合には、表示条件をＴＶ出力停止に置き換え、ＴＶ出力を行わない。「停止」が指定されている時は、ＴＶ出力を停止する。
（Ｓ１２）ＣＰＵ４０は、ウインドウ内の画像データを取得する。即ち、Ｖ−ＲＡＭ４８の画面メモリの当該ウインドウ内の１画面分の画像データを読み出し、必要に応じて拡大し、ＮＴＳＣ／Ｖｉｄｅｏ変換器５０に送出する。
（Ｓ１３）ＮＴＳＣ／Ｖｉｄｅｏ変換器５０は、この画像データをＮＴＳＣ信号に変換して、外部テレビ３に出力する。外部テレビ３は、これを表示する。
このようにして、パソコン画面２の指定ウインドウの画像をテレビ信号に変換し、外部テレビ３で表示することができる。図６乃至図８は、その表示例である。図６に示すように、ＤＶＤ再生アプリケーションを起動し、ＤＶＤ画像をパソコンデイスプレイ２に表示する。更に、ＤＶＤ画像を大画面で楽しみたい場合には、前述のＴＶ表示メニューでＴＶ出力を指定することにより、外部テレビ３に、そのウインドウ２０のＤＶＤ画像が表示される。
その間に、Ｅ−ｍａｉｌの送信又は受信する時に、Ｅ−ｍａｉｌのウインドウ２２が有効ウインドウと開いても、ＤＶＤのウインドウ２０を常時出力に指定することにより、外部テレビ３に、ウインドウ２０のＤＶＤ画像表示が継続される。この間に、パソコン操作者は、受信Ｅ−ｍａｉｌの確認や、送信を行うことができる。このため、パソコンを利用したＤＶＤ画像を楽しめるとともに、パソコンの他のアプリケーションも同時に利用できる。
図７に示す例では、ＤＶＤ再生アプリケーションを起動し、ＤＶＤ画像をパソコンデイスプレイ２に表示する。更に、ＤＶＤ画像を大画面で楽しみたい場合には、前述のＴＶ表示メニューでＴＶ出力を指定することにより、外部テレビ３に、そのウインドウ２０のＤＶＤ画像が表示される。
その間に、ワープロ操作時に、ワープロのアプリケーションが起動し、そのウインドウ２１が有効ウインドウとして開いても、ＤＶＤのウインドウ２０を常時出力に指定することにより、外部テレビ３に、ウインドウ２０のＤＶＤ画像表示が継続される。この間に、パソコン操作者は、ワープロの操作を行うことができる。このため、多人数でパソコンを利用したＤＶＤ画像を楽しめるとともに、必要に応じて、操作者は、パソコンの他のアプリケーションも同時に利用できる。そして、テレビ３には、不要なウインドウが表示されないため、テレビの大画面画像を満喫できる。
図８は、パソコンとテレビを利用したプレゼンテーションの使用例である。パソコン操作者（発表者）は、パソコン画面２に発表原稿とその資料１〜６を各ウインドウに並べて表示し、ウインドウのＴＶ表示メニューを選択し、指定したウインドウを外部テレビ３に表示する。外部テレビ３を見る聴講者は、発表者の必要な資料のみを見え、一方、発表者は、資料全体をみることができる。このため、発表内容を円滑にプレゼンテーションできる。この例は、図１の例と同様に、有効ウインドウを優先表示するものである。
以上の実施例では、映像再生処理と他の処理との組み合わせで説明したが、例えば、ワープロ処理とＥ−ｍａｉｌ処理等の組み合わせのように、映像処理を含まない処理の組み合わせにも適用できる。
又、映像ソフトとして、ＤＶＤで説明したが、ＣＤ（Ｃｏｍｐａｃｔ  Ｄｉｓｋ）等他の映像ソフトや、ＴＶ受信内容であっても良い。
更に、外部デイスプレイをテレビで説明したが、映像プロジェクタやデジタルデイスプレイであってもよい。
ＴＶ表示アプリケーションをＯＳの起動で自動起動する例で説明したが、操作者の選択で起動するようにしても良く、ＴＶ表示条件の設定種類も、必要に応じて減少又は増加することもできる。
その上、表示分解能を高めるため、ＤＶＤの再生画像をそのままＮＴＳＣに変換して、外部テレビに表示しても良い。
デスクトップコンピュータで説明したが、ノートパソコン、モバイルパソコンにも適用できる。
以上、本発明を実施例により説明したが、本発明の技術的趣旨の範囲内において、本発明は種々の変形が可能であり、これらを本発明の技術的範囲から排除するものではない。
産業上の利用可能性
デイスプレイのための画面メモリと、前記画面メモリの特定のウインドウの画像データを外部モニタに出力するための処理ユニットとを設けたので、画面に表示されている複数のウインドウの内、指定したウインドウを、外部のモニタに表示でき、指定したウインドウの画像のみを大画面表示でき、不要なウインドウを表示しない。このため、大画面表示を充分楽しむことができるとともに、コンピュータのマルチタスクも実現できる。
【図面の簡単な説明】
図１は、本発明の一実施例のパーソナルコンピュータシステムのブロック図である。
図２は、図１のパーソナルコンピュータのソフトウェア構成図である。
図３は、図１のパーソナルコンピュータのウインドウ画面図である。
図４は、図１のパーソナルコンピュータのブロック図である。
図５は、図２のＴＶ表示アプリケーションプログラムの処理フロー図である。
図６は、図５のＴＶ表示アプリケーションの表示例の説明図である。
図７は、図５のＴＶ表示アプリケーションの他の表示例の説明図である。
図８は、図５のＴＶ表示アプリケーションの更に他の表示例の説明図である。
【図１】
2002067102.tif 000003
【図２】
2002067102.tif 000004
【図３】
2002067102.tif 000005
【図４】
2002067102.tif 000006
【図５】
2002067102.tif 000007
【図６】
2002067102.tif 000008
【図７】
2002067102.tif 000009
【図８】
2002067102.tif 000010
【国際調査報告】
2002067102.tif 000011
2002067102.tif 000012
2002067102.tif 000013
2002067102.tif 000014